(57)【特許請求の範囲】
【請求項１】
収納キャビネットに内設した収納ラックと、前記収納ラックを昇降自在に支持する回転アームと、前記収納キャビネットの内側の側面下方へ設けられるとともに前記回転アームを回転可能に支持する昇降支持ユニットと、前記回転アームを回転する駆動手段とを備え、かつ前記収納ラックは、本体とこの本体に連結する両側の側板により形成される、第１収納部と、この第１収納部より幅広の第２収納部とを有し、かつ、前記側板は、前記昇降支持ユニットより上方で、前記幅広方向へ段状に屈曲する昇降式収納装置。
【請求項２】
駆動手段は、第１収納部の下方空間に備えた請求項１に記載の昇降式収納装置。
【請求項３】
駆動手段は、人力により無通電時にも正逆回転する構成とした請求項１または２に記載の昇降式収納装置。
【請求項４】
駆動手段は、回転アームとの間に減速手段を備えた請求項１から3のいずれか一項に記載の昇降式収納装置。
【請求項５】
減速手段は、昇降支持ユニット内に備えた請求項４に記載の昇降式収納装置。
【請求項６】
回転アームは、支持部材を介して収納ラックの第２収納部に連結した請求項１に記載の昇降式収納装置。
【請求項７】
回転アームは、収納ラックの傾斜を防止する傾斜補正手段を備えた請求項１または６に記載の昇降式収納装置。
【発明の詳細な説明】
【０００１】
【発明の属する技術分野】
本発明はキッチンなどで使用する昇降式収納装置に関する。
【０００２】
【従来の技術】
従来この種の昇降式収納装置としては、例えば特開平７−３０３５３４号公報等に記載されるようなものがあり、図５は外観斜視図である。図５に示したように、従来の昇降式収納装置は、収納キャビネット１と、収納キャビネット１内に設けた収納ラック２と、収納ラック２を昇降自在に支持する直線形状からなる回転アーム３、４を有する一対の昇降支持装置５とで構成されていた。
【０００３】
収納ラック２は、回転アーム３、４の回動動作により昇降させることができ、昇降操作用のハンドル６を持って収納ラック２を引き降ろすことにより、高所に設置された収納キャビネット１から収納ラック２を降下させて、収納物を低い位置で出し入れすることができるようになっていた。なお、７は回転アーム３、４が同期して回動するように回転アーム３の基部間を連結する連動連結軸である。
【０００４】
【発明が解決しようとする課題】
しかしながら、上記従来の昇降式収納装置では、収納ラック２の昇降は基本的に使用者の人力に頼らなければならず、このため力の弱い使用者や一部のシルバー世代には使いにくいという課題を有していた。
【０００５】
また、収納ラック２の幅寸法が主に昇降支持装置５の厚みで決定されるとともに、上下の幅寸法が一定であり、特に昇降支持装置５の上方に何ら使用されていない空間が生じて、収納ラック２の収納容積および収納効率の面で収納キャビネット１内を十分に活用していないという課題を有していた。
【０００６】
本発明は、上記従来の課題を解決するもので、使い勝手と収納効率の良い昇降式収納装置の提供を目的とする。
【０００７】
【課題を解決するための手段】
上記従来の課題を解決するために、本発明の昇降式収納装置は、収納ラックを昇降自在に支持する回転アームを回転する駆動手段を備えるとともに、収納ラックに第１収納部と第１収納部より幅広の第２収納部とを備えたものである。これにより収納ラックを電動で昇降することができるとともに、第２収納部の収納容積を拡大することができ、使い勝手と収納効率を向上するものである。
【０００８】
【発明の実施の形態】
本発明は、収納キャビネットに内設した収納ラックと、前記収納ラックを昇降自在に支持する回転アームと、前記収納キャビネットの内側の側面下方へ設けられるとともに前記回転アームを回転可能に支持する昇降支持ユニットと、前記回転アームを回転する駆動手段とを備え、かつ前記収納ラックは、本体とこの本体に連結する両側の側板により形成される、第１収納部と、この第１収納部より幅広の第２収納部とを有し、かつ、前記側板は、前記昇降支持ユニットより上方で、前記幅広方向へ段状に屈曲する構成としてあり、人力に頼ることなく自在に収納ラックを電動で昇降することができるとともに、第２収納部の収納容積を拡大することができ、使い勝手と収納効率の良い昇降式収納装置を提供することができる。
【００１２】
本発明は、特に駆動手段を第１収納部の下方空間に備えた構成としてあり、従来からの遊休空間であった収納ラックの下方空間を活用することができるとともに、駆動手段のために昇降支持ユニットの厚みが増すことがないので、第１収納部の幅寸法を最大限に大きくすることができる。
【００１３】
本発明は、特に駆動手段を人力により無通電時にも正逆回転できる構成としてあり、停電時などは人力によって収納ラックを昇降することができる。
【００１４】
本発明は、特に駆動手段と回転アームとの間に減速手段を備えた構成としてあり、この減速手段の減速比設定により、ゆるやかで安全な収納ラックの昇降を実現することができる。
【００１５】
本発明は、特に減速手段を昇降支持ユニット内に備えた構成としてあり、減速手段が回転アームの回転に干渉することがないので、第１収納部の幅寸法を最大限に大きくすることができるとともに、減速手段への異物の侵入を防止することができる。
【００１６】
本発明は、特に回転アームは、支持部材を介して収納ラックの第２収納部に連結した構成としてあり、回転アームの枢支点間距離を大きくすることができ、安定した昇降を得ることができるとともに、大きな円弧の回動となり、第１収納部の底面を前面から背面部まで容易に平面形状とすることができる。
【００１７】
本発明は、特に回転アームに収納ラックの傾斜を防止する傾斜補正手段を備えた構成としてあり、収納ラックや収納物の重量によって、収納ラックが傾斜することを補正して、収納物の移動や転倒を防止することができるとともに、外観的にも使用者に安心感を与えることができる。
【００１８】
【実施例】
以下、本発明の実施例について、図１〜図４を参照しながら説明する。
【００１９】
図１は本発明の実施例の昇降式収納装置における収納ラックの降下状態を示す側断面図、図２は同収納装置における収納ラックの格納状態を示す正面図、図３は同収納装置における収納ラックの降下状態を示す要部平面断面図、図４は同収納装置の降下状態を示し、キッチンへの設置例を示す側断面図である。
【００２０】
図１〜図４において、１１はキッチンなどの壁面上方に設置された収納キャビネットであり、この収納キャビネット１１の内側の両側面には、前方に収納キャビネット１１の底板１２との接触を回避するために屈曲し、先端を再度逆方向に屈曲した略Ｓの字形状の第１回転アーム１３と、後方に略Ｓの字形アーム１３との接触を回避した略Ｌの字形状の第２回転アーム１４の少なくとも二本が、同一平面上に設置されるとともに、第１回転アーム１３と第２回転アーム１４とを回転可能に枢支する昇降支持ユニット１５が構成されている。また、こうして第１回転アーム１３を略Ｓの字形状にすることにより、第２回転アーム１４の先端との接触も回避される。
【００２１】
１６、１７は第２回転アーム１４の狭角側の略中央部と根元部に一体的に形成された当接片であり、この当接片１６、１７が回転範囲の両終端位置において第１回転アーム１３と当接して、第１第２回転アーム１３、１４の回転を機械的に停止するように構成される。
【００２２】
１８は左右に対向する第１回転アーム１３の基部間を連結する連動連結軸で、この連動連結軸１８により両第１回転アーム１３が同体回動するように構成される。
【００２３】
１９は通常、収納キャビネット１１内に格納される収納ラックで、本体２０とこの本体２０に連結する両サイドの側板２１により第１収納部２２と、格納時において昇降支持ユニット１５より上方空間２３に第１収納部２２より幅広に構成した第２収納部２４と、少なくとも二つの収納部を備えている。また本体２０は第１収納部２２の底面２５を前面から背面部まで平面形状で構成される。
【００２４】
２６は収納ラック１９に内設される線材よりなる棚部材で、第２収納部２４の底面２７と同等高さに設置される。また、両側板２１間は下方をパイプなどよりなる人力すなわち手動操作用のハンドル２８で、上方は第２収納部２４の収納高さを規制するコの字形に曲げたパイプなどよりなる横連結部材２９で連結され、本体２０および側板２１の上端をもって収納ラック１９の最上部３０とする。
【００２５】
昇降支持ユニット１５に枢支された第１回転アーム１３および第２回転アーム１４の先端は、支持部材３１に枢支されるとともに、幅広の第２収納部２４を構成する側板２１をこの支持部材３１と連結することにより、四辺の平行リンク機構３２が構成され、収納ラック１９は昇降自在に支持されるものである。
【００２６】
また、第１第２回転アーム１３、１４は、収納ラック１９の傾斜を防止する傾斜補正手段３３を設けている。この傾斜補正手段３３としては、第１回転アーム１３の枢支点間距離Ｒ１を、第２回転アーム１４の枢支点間距離Ｒ２に対し、数mm長く構成している。こうして平行リンク機構３２をわずかに変形させることにより、第１第２回転アーム１３、１４の枢支点などに隙間が存在するために収納ラック１９や収納物の重量によって発生する収納ラック１９の前方への傾斜を防止するものである。
【００２７】
３４は収納キャビネット１１内に格納された収納ラック１９の第１収納部２２の下方空間３５に設置された駆動手段であり、昇降支持ユニット１５の少なくとも一方に装着されるとともに、この駆動手段３４は人力により無通電時にも正逆回転できるように構成される。
【００２８】
３６は駆動手段３４と第２回転アーム１４の間に設置され、昇降支持ユニット１５の内部に構成される歯車などの減速手段であり、駆動手段３４は減速手段３６を介して、第２回転アーム１４を正逆回転するように構成される。
【００２９】
３７は駆動手段３４を制御する制御手段であり、駆動手段３４と同様に第１収納部２２の下方空間３５に設置され、操作手段３８により伝送される信号により駆動手段３４は正逆回転される。
【００３０】
また昇降支持ユニット１５の少なくとも一方の内部には、第２回転アーム１４の回動、すなわち収納ラック１９の昇降に連動作用する付勢手段３９が構成されている。
【００３１】
４０は駆動手段３４を装着した昇降支持ユニット１５の外側に設置された停止スイッチなどの駆動停止手段であり、収納ラック１９の昇降終端位置において、第２回転アーム１４と当接して、電気的に駆動手段３４を停止し収納ラック１９の昇降を停止するように構成される。
【００３２】
上記した当接片１６、１７とこの駆動停止手段４０とは、収納ラック１９の昇降終端位置において、常時駆動停止手段４０と第２回転アーム１４とを先に当接、すなわち駆動停止手段４０の作動を優先させて、収納ラック１９の昇降を停止するように構成されている。なお、４１は収納キャビネット１１の前方に設けた開閉自在の扉体、４２は開閉用のヒンジである（図４にのみ記載）。
【００３３】
上記の構成において、収納ラック１９の降下時は、使用者が操作手段３８を操作すると、制御手段３７、駆動手段３４、減速手段３６を介して、収納ラック１９は昇降支持ユニット１５が回転可能に枢支する第１第２回転アーム１３、１４が構成する平行リンク機構３２と傾斜補正手段３３により、常に水平状態で図１に一点鎖線で示す如く円弧状に回動して、駆動停止手段４０により設定された最大降下位置に降下停止される。この時減速手段３６、付勢手段３９は、収納ラック１９がゆっくり降下するように作用する。
【００３４】
ここで上記収納ラック１９は、これを支持する第１第２回転アーム１３、１４が直線状ではなく略Ｓの字形、略Ｌの字形に屈曲しているとともに、第１第２回転アーム１３、１４を枢支する支持部材３１を第２収納部２４と連結し枢支点間距離（Ｒ１、Ｒ２）を大きく構成しているので、大きく降下させることができる。すなわち収納ラック１９を支持する第１第２回転アーム１３、１４が屈曲しているため、これらが収納キャビネット１１の底板１２に接触する位置が直線状のアームに比べるとかなり低い位置となり、収納ラック１９はその最上部３０が収納キャビネット１１の底板１２の位置よりも低い位置まで降下させることができる。
【００３５】
この実施例では、駆動停止手段４０により収納ラック１９は、その最上部３０が収納キャビネット１１の底板１２の高さと略同等高さで停止するように構成されている。
【００３６】
そして、使用者が収納ラック１９の最大降下位置で収納物を出し入れした後、収納ラック１９の上昇格納時は、再度操作手段３８を操作すると、収納ラック１９は降下時と同様に円弧状に回動して、収納キャビネット１１内で駆動停止手段４０により所定位置で停止し格納されるものである。この時付勢手段３９は、収納ラック１９を上昇する際の駆動力が小さくなるように作用する。
【００３７】
次に本発明の昇降式収納装置の設置例について説明する。
【００３８】
図４に示すように、収納キャビネット１１は、標準的なウォールキャビネットを想定し、外形寸法で高さ７００mm、奥行３５０mmを採用した。収納キャビネット１１の標準設置高さは、昇降式収納装置の下方に設置するフロアキャビネット４３などとの距離的な関係で、床面４４から収納キャビネット１１の天面４５まで２３００mm前後が一般的である。また、この収納キャビネット１１に格納される収納ラック１９および横連結部材２９の総高さ（Ａ）は、約６００mmである。
収納ラック１９の最大降下位置において、収納ラック１９の最上部３０と収納キャビネット１１の底板１２の高さを、略同等高さに構成すると、収納キャビネット１１の底板１２から第１収納部２２の底面２５までの距離（Ｂ）は、４５０mm前後となる。
【００３９】
したがって、収納ラック１９の最大降下位置において、床面４４から第１収納部２２の底面２５までの距離（Ｃ）は、１１５０mm前後となる。また、同じく床面４４から横連結部材２９までの距離（Ｄ）は、１７５０mm前後となる。また、この時第２収納部２４の底面２７および棚部材２６の高さは、床面４４から１４００mm前後となり、成人女性（老人を除く）の約９０％の目線と同等高さになるように構成されている。
【００４０】
出し入れ可能な高さは、およそ両腕を上げた状態の親指の高さまでであり、指関節までの高さとすることができる。成人女性（老人を除く）では、指先までの高さ（上肢拳上指先端高）から指先の長さ（第三指長）を引いた１０パーセンタイル値は１８００mmであり、すなわち、本昇降式収納装置の設置例では、約９０％の成人女性が収納ラック１９の最上部３０以上、横連結部材２９まで手が届き、収納物を出し入れすることができるとともに、収納ラック１９の全収納容積を有効に活用することができる。
【００４１】
以上のように、収納ラック１９を昇降自在に支持する回転アーム１３、１４を回転する駆動手段３４を備えるとともに、収納ラック１９に第１収納部２２と第１収納部２２より幅広の第２収納部２４を備えたことにより、人力に頼ることなく自在に収納ラック１９を電動で昇降することができるとともに、第２収納部２４の収納容積を拡大することができ、使い勝手と収納効率の良い昇降式収納装置を提供することができる。
【００４２】
また、幅広の第２収納部２４を昇降支持ユニット１５の上方空間２３に備えたことにより、収納ラック１９の回動昇降時に昇降支持ユニット１５との接触を避けることができるとともに、第２収納部２４の幅寸法を最大限に大きくすることができ、収納キャビネット１１内の空間を十分に活用することができる。
【００４３】
また、第２収納部２４の底面２７と収納ラック１９に内設する棚部材２６を同等高さに構成したことにより、第２収納部２４の底面２７と棚部材２６間にフラット面を形成することができ、収納物の傾きや転倒を防止することができる。
【００４４】
また、第１収納部２２の底面２５を前面から背面部まで平面形状としたことにより、コーナー部の収納性が良くなるとともに、収納容積を拡大することができる。
【００４５】
また、駆動手段３４を第１収納部２２の下方空間３５に備えたことにより、従来からの遊休空間であった収納ラック１９の下方空間３５を活用することができるとともに、駆動手段３４のために昇降支持ユニット１５の厚みが増すことがないので、第１収納部２２の幅寸法を最大限に大きくすることができる。
【００４６】
また、駆動手段３４を人力により無通電時にも正逆回転できる構成としたことにより、停電時などは人力によって収納ラック１９を昇降することができる。
【００４７】
また、駆動手段３４と回転アーム１４との間に減速手段３６を備えたことにより、この減速手段３６の減速比設定により、ゆるやかで安全な収納ラック１９の昇降を実現することができる。
【００４８】
また、減速手段３６を昇降支持ユニット１５内に備えたことにより、減速手段３６が回転アーム１３、１４の回転に干渉することがないので、上記したように第１収納部２２の幅寸法を最大限に大きくすることができるとともに、減速手段３６への異物の侵入を防止することができる。
【００４９】
また、回転アーム１３、１４は、支持部材を介して収納ラック１９の第２収納部２４に連結したことにより、回転アーム１３、１４の枢支点間距離（Ｒ１、Ｒ２）を大きくすることができ、安定した昇降を得ることができるとともに、大きな円弧の回動となり、上記したように第１収納部２２の底面２５を前面から背面部まで容易に平面形状とすることができる。
【００５０】
また、回転アーム１３、１４に収納ラック１９の傾斜を防止する傾斜補正手段３３を備えたことにより、収納ラック１９や収納物の重量によって、収納ラック１９が傾斜することを補正して、収納物の移動や転倒を防止することができるとともに、外観的にも使用者に安心感を与えることができる。
【００５１】
【発明の効果】
以上のように、本発明によれば、人力に頼ることなく自在に収納ラックを電動で昇降することができるとともに、第２収納部の収納容積を拡大することができ、使い勝手と収納効率の良い昇降式収納装置を提供することができる。
【００５２】
また、幅広の第２収納部を昇降支持ユニットの上方空間に備えることにより、収納ラックの回動昇降時に昇降支持ユニットとの接触を避けることができるとともに、第２収納部の幅寸法を最大限に大きくすることができ、収納キャビネット内の空間を十分に活用することができる。
【図面の簡単な説明】
【図１】本発明の実施例の昇降式収納装置における収納ラックの降下状態を示す側断面図
【図２】同収納装置における収納ラックの格納状態を示す正面図
【図３】同収納装置における収納ラックの降下状態を示す要部平面断面図
【図４】同収納装置の降下状態を示し、キッチンへの設置例を示す側断面図
【図５】従来の昇降式収納装置における外観斜視図
【符号の説明】
１１  収納キャビネット
１３  第１回転アーム（略Ｓの字形アーム）
１４  第２回転アーム（略Ｌの字形アーム）
１５  昇降支持ユニット
１９  収納ラック
２２  第１収納部
２３  上方空間
２４  第２収納部
２５  底面（第１収納部）
２６  棚部材
２７  底面（第２収納部）
３１  支持部材
３３  傾斜補正手段
３４  駆動手段
３５  下方空間
３６  減速手段
【図１】
0004572495.tif 000002
【図２】
0004572495.tif 000003
【図３】
0004572495.tif 000004
【図４】
0004572495.tif 000005
【図５】
0004572495.tif 000006